(57)【要約】【課題】観察者に認識される光を容易に調整できるようにすることである。【解決手段】第１のスペクトル分布の光を発光する機能領域と、この機能領域の光路に配置され第１のスペクトル分布の光の所定のスペクトル部分領域を吸収するフィルタ層とを有し、これにより第２のスペクトル分布の光が発光される。【選択図】図１
2007234599.tif 000002
【特許請求の範囲】
【請求項１】
第１のスペクトル分布（７）の光を発光する機能領域（５）と、該機能領域の光路（６）に配置され第１のスペクトル分布の光の所定のスペクトル部分領域を吸収するフィルタ層（１０）とを有し、これにより第２のスペクトル分布の光が発光される
ことを特徴とするエレクトロルミネセンス装置（１）。
【請求項２】
機能領域（５）は白色光を発光する、請求項１記載の装置。
【請求項３】
有機エレクトロルミネセンス装置として構成されており、機能領域（５）は第１の電極層（５Ａ）、該第１の電極層上に配置された少なくとも１つの有機機能層（５Ｂ）、および、該有機機能層上に配置された第２の電極層（５Ｃ）を有する、請求項１または２記載の装置。
【請求項４】
第１の電極層（５Ａ）は相互に平行に延在する複数の第１の電極条片を有し、第２の電極層（５Ｃ）は相互に平行に延在する複数の第２の電極条片を有し、該第１の電極条片と該第２の電極条片とは相互に横断するように延在する、請求項１から３までのいずれか１項記載の装置。
【請求項５】
フィルタ層（１０）は第１のスペクトル分布の光の種々のスペクトル領域を吸収する種々の部分領域（１０Ａ〜１０Ｅ）を有する、請求項１から４までのいずれか１項記載の装置。
【請求項６】
フィルタ層（１０）は有機色素を含む、請求項１から５までのいずれか１項記載の装置。
【請求項７】
フィルタ層（１０）は接着層（１１Ａ）、該接着層上のプラスティック層（１１Ｂ）および該プラスティック層上のカラーフィルタ層（１１Ｃ）を含むシート状層列（１１）を有する、請求項１から６までのいずれか１項記載の装置。
【請求項８】
プラスティック層（１１Ｂ）はポリエステル、ポリカーボネイトおよびポリエチレンから選択されるポリマーを含む、請求項１から７までのいずれか１項記載の装置。
【請求項９】
プラスティック層（１１Ｂ）は複屈折性である、請求項７または８記載の装置。
【請求項１０】
カプセル化部（２５）が機能領域（５）の上方に設けられており、該機能領域は基板（２０）上に配置されており、フィルタ層（１０）は基板のうち機能領域から遠い面および／またはカプセル化部の面に配置されている、請求項１から９までのいずれか１項記載の装置。
【請求項１１】
フィルタ層（１０）はインクジェット印刷プロセスによって被着される光吸収性のインクを含む、請求項１から６，１０のいずれか１項記載の装置。
【請求項１２】
光路（６）に付加的に円偏光器（１５）が配置されている、請求項１から１１までのいずれか１項記載の装置。
【請求項１３】
円偏光器（１５）はフィルタ層（１０）上に配置されており、ここで円偏光器（１５）とフィルタ層（１０）とのあいだにプレーナ層（１２）が設けられている、請求項１から１２までのいずれか１項記載の装置。
【請求項１４】
フィルタ層（１０）は複屈折性のプラスティック層（１１Ｂ）を含み、かつ光路（６）で見て円偏光器（１５）の後方に配置されている、請求項１２記載の装置。
【請求項１５】
電極層（５Ａ，５Ｃ）の一方は光反射性である、請求項１２から１４までのいずれか１項記載の装置。
【請求項１６】
フィルタ層（１０）の少なくとも一部の部分領域はグラフィクス素子となるようにパターニングされている、請求項１から１５までのいずれか１項記載の装置。
【請求項１７】
フィルタ層の各部分領域では機能領域が複数のピクセルを含み、ここでフィルタ層の各部分領域には少なくとも２つのピクセルが対応している、請求項１から１６までのいずれか１項記載の装置。
【請求項１８】
請求項１から１７までのいずれか１項記載のエレクトロルミネセンス装置（１）の製造方法において、
機能領域（５）を調製するステップＡ）と、
機能領域（５）の光路（６）にフィルタ層（１０）を形成するステップＢ）と
を有する
ことを特徴とするエレクトロルミネセンス装置の製造方法。
【請求項１９】
ステップＢ）でフィルタ層（１０）を印刷プロセスにより形成する、請求項１８記載の方法。
【請求項２０】
ステップＢ）で請求項７から９までのいずれか１項記載のシート状層列（１１）を被着することによりフィルタ層（１０）を形成する、請求項１８記載の方法。
【請求項２１】
ステップＢ）でシート状層列（１１）を積層プロセスにより被着する、請求項１８から２０までのいずれか１項記載の方法。
【請求項２２】
さらに、円偏光器（１５）を光路（６）に形成するステップＣ）を有する、請求項１８から２１までのいずれか１項記載の方法。
【請求項２３】
プレーナ層（１２）をフィルタ層（１０）上に形成し、次いで該プレーナ層（１２）上に円偏光器（１５）を形成する、請求項１８から２２までのいずれか１項記載の方法。
【請求項２４】
円偏光器（１５）をまず形成し、次いで該円偏光器上にフィルタ層を形成する、請求項２２記載の方法。
【請求項２５】
ステップＡ）で機能領域（５）を基板（２０）上に形成し、該機能領域の上方の基板（２０）上にカプセル化部（２５）を被着し、ステップＢ）でフィルタ層を基板のうち機能領域から遠い面および／またはカプセル化部の面に形成する、請求項１９から２４までのいずれか１項記載の方法。
【請求項２６】
ステップＣ）で円偏光器（１５）を基板のうち機能領域から遠い面および／またはカプセル化部の面に形成する、請求項１９から２５までのいずれか１項記載の方法。
【請求項２７】
請求項１から１７までのいずれか１項記載のエレクトロルミネセンス装置を照明に用いることを特徴とするエレクトロルミネセンス装置の使用。
【請求項２８】
請求項１から１７までのいずれか１項記載のエレクトロルミネセンス装置をグラフィクス素子および／またはグラフィクス情報の表示に用いることを特徴とするエレクトロルミネセンス装置の使用。
【発明の詳細な説明】
【技術分野】
【０００１】
本発明はエレクトロルミネセンス装置およびエレクトロルミネセンス装置の製造方法に関する。
【背景技術】
【０００２】
この出願は、装置から発光され観察者に認識される光を容易に調整できるエレクトロルミネセンス装置に関する。
【発明の開示】
【発明が解決しようとする課題】
【０００３】
本発明の課題は、観察者に認識される光を容易に調整できるようにすることである。
【課題を解決するための手段】
【０００４】
本発明の装置は請求項１記載の構成により得られる。本発明の装置およびその製造方法の実施形態は従属請求項の対象となっている。
【０００５】
本発明によれば、第１のスペクトル分布の光を発光する機能領域と、この機能領域の光路に配置され第１のスペクトル分布の光の所定のスペクトル部分領域を吸収するフィルタ層とを有し、これにより第２のスペクトル分布の光が発光されることを特徴とするエレクトロルミネセンス装置が提供される。
【発明を実施するための最良の形態】
【０００６】
この光は装置の外部にいる観察者から見ると装置のフィルタ層の領域から放出された固有の光として認識される。
【０００７】
フィルタ層は第１のスペクトル分布の光の所定の成分を吸収または反射する透過率特性を有している。このため、得られた第２のスペクトル分布の光は相応に低減されたスペクトル分布を有する（図６のＡ〜Ｃを参照）。フィルタ層は例えばシート状をなしており、例えば積層プロセスによって特に簡単に機能領域の光路に配置することができる。フィルタ層は例えば印刷プロセスによって装置の種々の領域上に形成することができる。
【０００８】
有利には、機能領域は第１の電極層、この第１の電極層上に配置された少なくとも１つの有機機能層、および、この少なくとも１つの有機機能層上に配置された第２の電極層を有する。有機機能層は後述する有機エレクトロルミネセンス材料から成っていてよい。第１の電極層および第２の電極層に電圧が印加されると、電子または正孔が少なくとも１つの有機機能層内に誘起され、電子および正孔の再結合により光が発生する。このことをエレクトロルミネセンスと称する。
【０００９】
有利には機能領域は色光を発光する。これは例えば、唯一の光を発光する材料のみから成る機能層を機能領域内に形成することにより実現される。当該の発光材料は、例えば、ポリ（ｐ‐フェニレン‐ビニレン）ＰＰＶなどのポリマーベースの有機機能層、または、トリ（８‐ヒドロキシキノリナト）‐アルミニウムＡｌｑなどのいわゆる小分子（small molecules）ベースの有機機能層である。有機ポリマー化合物は例えばウェットケミカルプロセス、例えばインクジェット印刷プロセス、スピンコーティングプロセスまたはスクリーン印刷プロセスにより任意の基板へ被着することができる。それ以外にもいわゆる"小分子"は気相蒸着プロセスによっても任意の基板に被着することができる。こうした装置またはデバイスは有機発光ダイオードＯＬＥＤとも称される。
【００１０】
また有利には、第１の電極層は相互に平行に延在する複数の第１の電極条片としてパターニングされており、第２の電極層は相互に平行に延在する複数の第２の電極条片としてパターニングされており、第１の電極条片と第２の電極条片とは相互に横断するように延在する。
【００１１】
こうした第１の電極条片および第２の電極条片を設ければ特に簡単にパッシブマトリクス装置を実現することができる。この場合、第１の電極条片と第２の電極条片との交点に活性の発光領域、例えばピクセルを形成し、第１の電極条片および第２の電極条片に選択的に電圧を印加することによりこれを駆動することができる。この種のパッシブマトリクス装置はグラフィクス素子またはグラフィクス情報の表示に用いられるエレクトロルミネセンスディスプレイ、例えば有機エレクトロルミネセンスディスプレイの実現に特に有利である。ただし別の実施形態として、本発明のエレクトロルミネセンス装置を用いて同様にピクセルを含むアクティブマトリクス装置を実現することもできる。
【００１２】
パッシブマトリクス装置であってもアクティブマトリクス装置であっても、ピクセル、例えば前述の垂直に交差する電極条片の交点は有利には個別に駆動可能である。さらに有利には、ピクセルは活性のエレクトロルミネセンス領域を含むか、または関連する唯一のエレクトロルミネセンス層の一部であってもよい。
【００１３】
特に有利には、機能領域は白色光を発光する。このために、例えば種々のエレクトロルミネセンス材料の混合物が使用される。ここでは各材料から発光された種々の色を色混合して白色光を得てもよいし、また白色光を発光できる唯一の材料を用いてもよい。例えば市販で入手可能な材料として、ＭＯＭ社（Merck-OLED Materials GmbH）のC-EXP-W001を使用することができる。有機エレクトロルミネセンス装置の内部に白色光を発光する機能領域、または白色光を発光する有機機能層を設けると、相応のフィルタ層、特に種々のスペクトル部分領域を吸収する各部分領域から成るフィルタ層の構成により、特に簡単に種々の色を発光可能な多色のエレクトロルミネセンス装置が実現されるという利点が得られる。こうした装置は唯一の光を発光する有機層の領域を基板の表面全体に形成することにより特に簡単に製造できる。このとき、フィルタ層を変化させることにより、つまり例えば光の種々のスペクトル部分領域を吸収する部分構造体へ分割することにより、任意の色を発光する装置が特に簡単に実現される。つまりフィルタ層の構成に応じてどんな色も形成することができるようになるのである。したがって本発明のエレクトロルミネセンス装置では、同じエレクトロルミネセンス材料を用いながらフィルタ層を変化させるのみで観察者に種々の光の波長を認識させることができる。
【００１４】
本発明の別の実施形態では、フィルタ層は光吸収性または光反射性の種々のフィルタ材料を有する複数の部分領域を含む。このとき有利には、フィルタ層の各部分領域には、唯一のピクセルのみが対応してもよいし、少なくとも２つまたはそれ以上のピクセルが対応してもよい。
【００１５】
有利には、フィルタ層は有機色素を含む。有機色素は容易に処理可能であり、例えば既に液晶ディスプレイＬＣＤの分野で使用されている。
【００１６】
本発明の別の有利な実施形態では、フィルタ層は、接着層、この接着層上のプラスティック層およびこのプラスティック層上のカラーフィルタ層を含むシート状層列を有する。
【００１７】
こうしたシート状層列は、例えば接着層を介してエレクトロルミネセンス装置に簡単に固定接合することができる。プラスティック層はここでは接着層とカラーフィルタ層とのあいだの支持体層として用いられ、有利には透過率の高いプラスティック、例えばポリエステル、ポリカーボネイトまたはポリエチレンを含む。接着層には種々の透過率を有する材料、例えばエポキシまたはその他の材料が用いられる。
【００１８】
本発明の別の実施形態では、シート状層列は、プラスティック層上にカラーフィルタ層が配置され、このカラーフィルタ層上に接着層が設けられるように構成される。この実施形態においても、シート状層列を、例えば接着層を介してエレクトロルミネセンス装置に簡単に固定接合することができる。
【００１９】
ここではプラスティック層は複屈折性である。
【００２０】
本発明の別の実施形態では、カプセル化部が機能領域の上方に設けられており、この機能領域は基板上に配置されている。ここではフィルタ層は基板のうち機能領域から遠い面（機能領域とは反対側の面）および／またはカプセル化部の面に配置することができる。
【００２１】
この実施形態では、フィルタ層は特に簡単に基板の外表面またはカプセル化部の外表面に配置することができる。この場合、フィルタ層を変化させるだけで、同一の機能領域を扱いながら、エレクトロルミネセンス装置から発光され観察者に認識される光を変化させることができる。フィルタ層において種々の吸収性を有する各部分領域を種々のジオメトリで例えば図５に示されているように構成することにより、フィルタ層を変化させるのみで多様なエレクトロルミネセンス装置が実現される。白色光を発光する機能領域が設けられる場合、種々の吸収性を有する各部分領域を備えたフィルタ層を設けることにより、フィルタ層に依存してエレクトロルミネセンス装置の種々のジオメトリひいては種々の放射特性が特に簡単に実現される。
【００２２】
さらに有利には、フィルタ層はインクジェット印刷プロセスによって被着された光吸収性のインクを含む。インクジェット印刷プロセスは特に簡単な印刷プロセスである。これによりパターニングされたフィルタ層を例えば基板またはカプセル化部に特に簡単に被着することができる。
【００２３】
さらに本発明の別の実施形態では、光路に付加的に円偏光器が配置される。円偏光器は有利には層状に成形され、例えばシートとして設けられる。
【００２４】
この種の円偏光器は特に良好に外部から装置へ入射してくる光の後方反射を阻止し、明環境における装置のコントラストを高める。
【００２５】
電極層が光反射性であり、例えば鏡面反射するように構成されている場合、当該の円偏光器は特に有利である。この場合例えば、エレクトロルミネセンス装置を、オフの状態でミラーとして用い、オンの状態で照明またはグラフィクス素子またはグラフィクス情報の表示に用いることができる。
【００２６】
この実施形態では、本発明のエレクトロルミネセンス装置はフィルタ層および円偏光器を有するが、円偏光器とフィルタ層との相対位置は種々に構成可能であるので、特に有利である。ここで有利にはフィルタ層が前述のシート状層列を含み、このシート状層列内に設けられたプラスティック層が高い複屈折性を有する材料、例えばポリカーボネイトまたはポリエステルを含む。また有利には、フィルタ層のシート状層列は光路で見て円偏光器の後方に配置される。このことは円偏光器が光路で見てフィルタ層のシート状層列よりも機能領域の近傍に配置されるということを意味する。また有利には、フィルタ層は円偏光器上に配置され、この円偏光器はエレクトロルミネセンス装置の基板および／またはカプセル化部の上に配置される。これにより特に簡単に高いコントラストおよび暗い背景が保証される。
【００２７】
また、フィルタ層のシート状層列のプラスティック層が円偏光器の機能を阻害しないよう、複屈折性を有さない材料またはきわめて小さな複屈折性しか有さない材料を含むように構成することもできる。この場合、フィルタ層は光路で見て円偏光器の前方に配置される。これにより例えば、円偏光器がフィルタ層上に配置され、フィルタ層が円偏光器よりも発光する機能領域の近傍に位置することになる。この種の装置はフィルタ層の光散乱領域または個々のカラーフィルタ領域を円偏光器の下方に隠し、フィルタ層の種々の色を装置のオフの状態で不可視にすること、または制限された範囲でしか見えないようにすることに特に適している。
【００２８】
また、フィルタ層が前述のシート状層列を含まず、例えばインクジェット印刷またはタンポン印刷などの印刷プロセスによって形成されるようにすることもできる。この場合、例えば前述の印刷プロセスにより、フィルタ層がカプセル化部の上および／または機能領域上に配置された基板の上に特に簡単に形成される。この場合、適用分野に応じて、フィルタ層は光路で見て円偏光器の前方または後方のいずれにも配置することができる。
【００２９】
円偏光器がフィルタ層上に配置される場合、円偏光器とフィルタ層とのあいだに、例えば図４に示されているようなプレーナ層を設けると特に有利である。
【００３０】
この種のプレーナ層はフィルタ層の不均一性、例えば例えば種々のフィルタ材料による個々の部分領域の不均一性を特に簡単に補償することができる。これによりプレーナ層上では例えば接着または積層により円偏光器を良好に配置することができる。プレーナ層の材料として例えばエポキシまたはその他の透明材料が用いられる。
【００３１】
本発明の別の実施形態では、フィルタ層の少なくとも一部の部分領域はグラフィクス素子となるようにパターニングされている。グラフィクス素子はエレクトロルミネセンス装置の駆動中に表示される。グラフィクスに関する構成を変化させることにより、同じ機能領域を用いても、フィルタ層の変化のみで種々のグラフィクス素子を表示できるエレクトロルミネセンス装置を実現することができる。
【００３２】
さらに本発明はエレクトロルミネセンス装置の製造方法にも関している。ここで、本発明の方法は、機能領域を調製するステップＡ）と、機能領域の光路にフィルタ層を形成するステップＢ）とを有する。
【００３３】
特に有利には、機能領域はステップＡ）で基板上に形成され、次いでカプセル化部がこの機能領域の上方の基板上に被着される。このとき、ステップＢ）で、フィルタ層は基板のうち機能領域から遠い面および／またはカプセル化部の面に形成される。
【００３４】
さらに本発明の方法の別の実施形態では、ステップＣ）として、円偏光器を基板のうち機能領域から遠い面および／またはカプセル化部の面に形成してもよい。前述したように、必要に応じて、円偏光器は光路で見てフィルタ層の前方または後方のいずれにも配置することができる。
【００３５】
ここでフィルタ層は前述したシート状層列の形態で基板上またはカプセル化部上に例えば積層または接着により形成することができる。またフィルタ層は例えば印刷プロセスによって基板上および／またはカプセル化部上に形成することもできる。
【００３６】
本発明の実施形態に挙げたエレクトロルミネセンス装置は例えば照明のために用いられる。また本発明の装置は、グラフィクス素子および／または数字または文字などのグラフィクス情報を表示するディスプレイとして用いることもできる。
【００３７】
例えば前述の相互に垂直に交差する第１の電極条片および第２の電極条片を備えたパッシブマトリクス装置またはアクティブマトリクス装置も照明装置として用いることができる。このとき第１の電極条片および第２の電極条片の交点は活性の照明点として用いられる。この照明点はそれぞれ他の照明点と別個に、または他の全ての照明点とともに空間照明に用いられる。
【実施例】
【００３８】
以下に本発明を図示の実施例に基づいて詳細に説明する。図は概略的なものであって縮尺通りに示されていないことに注意されたい。
【００３９】
図１には有機エレクトロルミネセンス装置１が示されている。ここでは機能領域５が複数の第１の電極条片５Ａとこれに垂直に延在する複数の第２の電極条片５Ｃを有し、その間に少なくとも１つの有機機能層５Ｂが配置されている。この有機機能層はこの実施例では３つの層から成る。当該の３つの層は例えば正孔輸送層、電子輸送層、および、その間に配置された発光層である。またこれは例えばＰＥＤＯＴ（ポリエチレンジオキシチオフェン）‐ＰＰＶ‐２層層列などの任意の他の層列であってもよい。機能領域５は基板２０上に配置されており、この基板はカプセル化部２５により周囲影響、例えば酸化浸透物質および水に対して保護されている。第１の電極条片５Ａは光反射性または鏡面性を有するように構成されており、これによりエレクトロルミネセンス装置１の主たる光路６はカプセル化部２５を通して延在する。カプセル化部２５の外表面にはフィルタ層１０および円偏光器１５が配置されている。この場合、フィルタ層１０はエレクトロルミネセンス装置１の光路６で見て円偏光器１５の前方に配置されている。つまり円偏光器１５がフィルタ層１０の上に配置されている。しかし本発明のエレクトロルミネセンス装置では、形成した光が透明基板２０を通して出力され、相応に円偏光器およびフィルタ層が基板の外表面に配置されるように構成することもできる。
【００４０】
図２には図１と類似した有機エレクトロルミネセンス装置１が示されている。図１と異なるのは、フィルタ層１０および円偏光器１５の配置順序が交換されて、ここではフィルタ層１０がエレクトロルミネセンス装置１の光路６で見て円偏光器１５の後方に配置されているという点である。
【００４１】
図３にはフィルタ層１０のシート状層列１１の詳細が示されている。ここでは接着層１１Ａが設けられており、その上にプラスティック層１１Ｂが配置されている。プラスティック層１１Ｂ上にはカラーフィルタ層１１Ｃが存在している。カラーフィルタ層の材料は一様な化学的組成を有してもよいし、また図示のように種々の波長の光を吸収する種々の部分領域を有してもよい。前述したように、接着層１１Ａは、シート状層列１１を本発明のエレクトロルミネセンス装置に固定するために用いられる。
【００４２】
図４にはフィルタ層１０、その上に配置されたプレーナ層１２、およびさらにその上に配置された円偏光器１５の層列が示されている。これは層列全体の断面図である。プレーナ層１２は、例えば図１に示されているように円偏光器１５がフィルタ層１０上に配置される場合、カラーフィルタ層１１Ｃにおける図示の部分領域１０Ａ〜１０Ｃの不均一性を平坦化する。フィルタ層１０は付加的に接着層１１Ａおよびプラスティック層１１Ｂを含む。
【００４３】
図５には少なくとも５つの異なる部分領域１０Ａ〜１０Ｅの設けられたフィルタ層１０の実施例が示されている。各部分領域はそれぞれ異なる光吸収性を有するフィルタ材料から成り、これにより種々の波長の光が放出される。ここでは、フィルタ層１０は基板２０またはカプセル化部２５の上に存在する円偏光器１５上に配置される。
【００４４】
図６のＡには本発明のエレクトロルミネセンス装置１の機能領域５から発光された第１のスペクトル分布７の光の波長に対する輝度のグラフが示されている。この場合、スペクトル分布に基づいて観察者にとって黄色に見える光が放出される。
【００４５】
図６のＢにはフィルタ層１０またはその部分領域１０Ａ〜１０Ｃの透過率８の特性が波長に依存して示されている。この場合、フィルタは約４００ｎｍ〜５８０ｎｍの波長領域できわめて小さな透過率を有し、この波長領域のほとんどの光を吸収または反射する。約６００ｎｍ〜約８００ｎｍの波長領域ではきわめて高い透過率が得られ、この領域では光の大部分がフィルタ層を通過する。
【００４６】
図６のＣには、機能領域５から発光された光がフィルタ層１０を通るときの特性について、図６のＡ，Ｂを組み合わせたグラフが示されている。フィルタ層の透過率特性８に基づいて、機能領域から発光された第１のスペクトル分布７の光はフィルタ層の吸収性または反射性の部分領域でのハッチング部分７Ａの吸収または反射によって第２のスペクトル分布７Ｂの光となる。この実施例では、例えば、発光された黄色光が赤‐オレンジ色のフィルタにかけられ、深いオレンジ色の光がエレクトロルミネセンス装置から出力され、観察者に認識される。また、機能領域から発光された光を、種々の吸収率を有するフィルタ層により任意に組み合わせ、任意の色の光が得られるように構成してもよい。エレクトロルミネセンス装置から発光され観察者に認識される光の所望のスペクトルを得るために、機能領域から発光された光のスペクトルとフィルタ層の透過率とが乗算される。
【００４７】
図７にはエレクトロルミネセンス装置１のフィルタ層としてのカラー層の形成に適したタンポン印刷機１００が示されている。タンポン４０および線画凸版６０が示されている。印刷プロセスに基づいて、フィルタ層として被着されたインク吸収層の厚さおよび吸収性の色素の濃度を変化させることにより、本発明のエレクトロルミネセンス装置から発光され最終的に観察者に認識される光を特に有利に微調整することができる。タンポン印刷機によれば、光学位置決め装置および光学配向装置の共同作用により、きわめて正確なフィルタ層の形成が保証される。ここでタンポン印刷機はフィルタ層のデザインまたはパターンをエッチングするための１つまたは複数の線画凸版を有する。さらに光吸収性のインクをエレクトロルミネセンス装置の基板またはカプセル化部へ転写するための１つまたは複数のタンポンが設けられている。標準プロセスではエレクトロルミネセンス装置への一様なインクの塗布を保証するのに６４線／ｃｍの線画凸版があれば充分である。印刷すべき領域の小さい特別設計のプロセスでは複数の線を備えた線描凸版が使用される。
【００４８】
インク層の厚さは最終的な色飽和度（彩度）および光透過率に影響する。
【００４９】
インク層の厚さが小さいと、最終的に観察者に認識される光の色飽和度が小さくなり、光透過率は高くなる。一方インク層の厚さが大きいと、観察者には光の色飽和の印象が残り、光透過率は低くなる。
【００５０】
インク層の厚さはまず線画凸版のエッチング深度およびタンポンのタイプによって制御される。エッチング深度２０μｍは線画凸版で一様にカバーされ、透過率と観察者に認識される色飽和度とのあいだの良好な妥協点が見出される。所望の適用分野に応じて、異なる２つのインク材料を使用することもできる。標準的な温度領域で適用され、機械的ストレスが小さい場合には、ＵＶ硬化性のインクが使用される。使用温度の範囲が広く機械的ストレスが大きい場合、２成分インクを使用することができる。２成分インクは基板および／またはカプセル化部のガラスに対して高い接着性を有するからである。
【００５１】
本発明はここに図示した実施例に限定されない。フィルタ層の種々のジオメトリおよび種々の形状に基づく他の実施例も可能である。
【図面の簡単な説明】
【００５２】
【図１】本発明のエレクトロルミネセンス装置の第１の実施例を示す図である。
【図２】本発明のエレクトロルミネセンス装置の第２の実施例を示す図である。
【図３】フィルタ層の例であるシート状層列を示す図である。
【図４】フィルタ層およびプレーナ層の上に円偏光器の設けられた装置を示す図である。
【図５】種々のスペクトルを吸収する部分領域を備えたフィルタ層の別の構成例を示す図である。
【図６】フィルタ層の動作原理を示すグラフである。
【図７】エレクトロルミネセンス装置のフィルタ層を形成するためのタンポン印刷機を示す図である。
【符号の説明】
【００５３】
１  エレクトロルミネセンス装置、  ５  機能領域、  ５Ａ，５Ｃ  電極条片、  ５Ｂ  有機機能層、  ６  光路、  １０  フィルタ層、  １０Ａ〜１０Ｃ  部分領域、  １１  シート状層列、  １１Ａ  接着層、  １１Ｂ  プラスティック層、  １１Ｃ  カラーフィルタ層、  １５  円偏光器、  ２０  基板、  ２５  カプセル化部、  １００  タンポン印刷機、  ４０  タンポン、  ６０  線画凸版
【図１】
2007234599.tif 000003
【図２】
2007234599.tif 000004
【図３】
2007234599.tif 000005
【図４】
2007234599.tif 000006
【図５】
2007234599.tif 000007
【図６】
2007234599.tif 000008
【図７】
2007234599.tif 000009
【手続補正書】
【提出日】平成19年3月14日(2007.3.14)
【手続補正１】
【補正対象書類名】図面
【補正対象項目名】全図
【補正方法】変更
【補正の内容】
【図１】
2007234599.tif 000010
【図２】
2007234599.tif 000011
【図３】
2007234599.tif 000012
【図４】
2007234599.tif 000013
【図５】
2007234599.tif 000014
【図６】
2007234599.tif 000015
【図７】
2007234599.tif 000016